(57)【要約】【課題】  本発明は、紙に有する紋様を紋様情報として取得する取得手段と、証明対象の内容を上記紙に印画して証明書を作成する作成手段と、上記内容を表す情報及び上記紋様情報を合成する合成手段と、上記合成された合成情報を上記紙の変造を検出する際の基準として上記証明書に記憶させる記憶手段と、上記証明書に記憶された上記合成情報に基づいて、上記証明書を識別するための処理を施す識別処理手段とを設けるようにする。【解決手段】  本発明の識別装置は、証明対象を表す情報を合成情報から抽出し、証明対象を表す情報を合成情報から抽出し、当該証明対象を表す情報を基準として証明対象の内容を検証することによって、証明書の変造を検証でき、かくして証明書の信頼性を向上できる。【選択図】        図４
2007004479.tif 000002
【特許請求の範囲】
【請求項１】
紙に有する紋様を紋様情報として取得する取得手段と、
証明対象の内容を上記紙に印画して証明書を作成する作成手段と、
上記内容を表す情報及び上記紋様情報を合成する合成手段と、
上記合成された合成情報を上記紙の変造を検出する際の基準として上記証明書に記憶させる記憶手段と、
上記証明書に記憶された上記合成情報に基づいて、上記証明書を識別するための処理を施す識別処理手段と
を具えることを特徴とする識別装置。
【請求項２】
上記合成手段は、
上記内容を表す情報及び上記紋様情報に加えて、上記証明書の作成時刻情報を合成し、
上記識別装置は、
上記証明書における最新の作成時刻情報を保持する保持手段
を具え、
上記識別手段は、
上記保持手段によって保持された上記最新の作成時刻情報と、上記合成された作成時刻情報とに基づいて、最新の上記証明書を識別する
ことを特徴とする請求項１に記載の識別装置。
【請求項３】
上記証明書が、
管理サーバで管理されて管理対象の使用状態を上記内容として印画され、上記管理サーバを利用する際に逐次発行されるものである
ことを特徴とする請求項１に記載の識別装置。
【請求項４】
上記登録証明書は、キャッシュカードであること
を特徴とする請求項１に記載の識別装置。
【請求項５】
紙に有する紋様を紋様情報として取得する取得ステップと、
上記内容を表す情報及び上記紋様情報を合成する合成ステップと、
上記合成された合成情報を上記紙の変造を検出する際の基準として上記紙に記憶させると共に、上記紙に証明対象の内容を印画して証明書を作成する作成ステップと、
上記証明書に記憶された上記合成情報に基づいて、上記証明書を識別する識別ステップと
を具えることを特徴とする識別方法。
【発明の詳細な説明】
【技術分野】
【０００１】
本発明は、識別装置及び識別方法に関し、例えば証明書の変造の有無を識別する場合に適用して好適なものである。
【背景技術】
【０００２】
従来、紙は文書や写真等の各種内容の印画対象として用いられ、当該内容（以下、これを印画内容と呼ぶ）が印画された印画紙は、例えば貨幣等の商品交換媒体、証明書等の内容証明媒体又は個人の著作物等の情報記憶媒体などの各種媒体として機能するため高い価値を有していることが多い。
【０００３】
このため、印画紙に印画された印画内容の不正複製を防止する各種対処策が考えられており、当該対処策として、印画紙に有する紋様に基づいて紋様情報を取得して、取得された紋様情報を印画紙に記憶し、当該記憶された紋様情報に基づいて、印画紙の正当性を検証することによって、印画内容を適切に保護し、印画紙に印画された印画内容の不正複製を防止する不正複製防止装置が本願特許出願人により提案されている。
【特許文献１】ＰＣＴ／ＪＰ２００５／００１１７６
【発明の開示】
【発明が解決しようとする課題】
【０００４】
ところで、かかる不正複製防止装置においては、印画紙それぞれにおける正当性、すなわち原本性を保証することによって印画内容の不正複製を防止するようになされており、印画紙に有する紋様情報と当該印画紙に記憶された記憶紋様情報とが一致すれば原本性が保証される。このためこの不正複製防止装置では、例えば印画紙自体が高い価値を有する証明書において、当該紋様情報と当該記憶紋様情報とを切り取り、印画内容を変造した変造印画紙に貼り合わせた変造がなされた場合であっても原本性が保証されてしまうため、このような証明書の変造を防止できないという問題があった。
【０００５】
本発明は以上の点を考慮してなされたもので、証明書の信頼性を向上し得る識別装置を提案しようとするものである。
【課題を解決するための手段】
【０００６】
かかる課題を解決するため本発明の識別装置においては、紙に有する紋様を紋様情報として取得する取得手段と、証明対象の内容を当該紙に印画して証明書を作成する作成手段と、当該内容を表す情報及び当該紋様情報を合成する合成手段と、当該合成された合成情報を当該紙の変造を検出する際の基準として当該証明書に記憶させる記憶手段と、当該証明書に記憶された当該合成情報に基づいて、当該証明書を識別するための処理を施す識別処理手段とを設けるようにした。
【０００７】
これにより、証明対象を表す情報を合成情報から抽出し、当該証明対象を表す情報を基準として証明対象の内容を検証することによって、証明書の変造を検出することができる。
【０００８】
また、本発明の識別方法においては、紙に有する紋様を紋様情報として取得する取得ステップと、当該内容を表す情報及び当該紋様情報を合成する合成ステップと、当該合成された合成情報を当該紙の変造を検出する際の基準として当該紙に記憶させると共に、当該紙に証明対象の内容を印画して証明書を作成する作成ステップと、当該証明書に記憶された当該合成情報に基づいて、当該証明書を識別する識別ステップとを設けるようにした。
【０００９】
これにより、証明対象を表す情報を合成情報から抽出し、当該証明対象を表す情報を基準として証明対象の内容を検証することによって、証明書の変造を検出することができる。
【発明の効果】
【００１０】
本発明によれば、証明対象を表す情報を合成情報から抽出し、証明対象を表す情報を合成情報から抽出し、当該証明対象を表す情報を基準として証明対象の内容を検証することによって、証明書の変造を検証でき、かくして証明書の信頼性を向上し得る識別装置を実現できる。
【発明を実施するための最良の形態】
【００１１】
以下、図面について、本発明の一実施の形態を詳述する。
【００１２】
（１）識別手法
図１に示すように、紙は、繊維の複雑な絡み合いにより構成された固有の模様（以下、これを紋様と呼ぶ）を表面ではなく内部に有しており、この紋様は、光にかざすと視認できることからも分かるように、例えば透過型スキャナ等により画像（以下、これを紋様画像と呼ぶ）として得ることができるものである。
【００１３】
そこで本実施の形態における識別手法においては、図２に示すように、オリジナルの紙（以下、これをオリジナル紙と呼ぶ）ＯＰ１の紋様画像のうち、予め指定された領域（以下、これを指定領域と呼ぶ）ＡＲ１における紋様画像が有するパターン（以下、これを紋様パターンと呼ぶ）から当該紋様パターンの特徴を示す紙紋様特徴量ＭＰ１を抽出する。
【００１４】
さらに本実施の形態における識別手法においては、オリジナル紙ＯＰ１に対してこれから印画される印画内容ＳＰ１に基づいて、当該印画内容を表す情報（以下、これを印画内容証明情報と呼ぶ）ＳＰ２を生成する。
【００１５】
そして識別装置は、かかる紙紋様特徴量ＭＰ１及び印画内容証明情報ＳＰ２を合成することによって合成情報ＭＸ１を生成し、この合成情報ＭＸ１を２次元バーコードでなる認証用コードＢＣ１としてオリジナル紙ＯＰ１における紙面の一部に印画する。
【００１６】
一方、識別装置１は、図２（Ｂ）に示すように、認証用コードＢＣ１が印画された印画紙（以下、これをコード付印画紙と呼ぶ）ＸＰｃ１を識別する場合、当該コード付印画紙ＸＰｃ１の認証用コードＢＣ１に基づいて復元した復元合成情報ＭＸ１´から復元紙紋様特徴量ＭＰ１´を抽出し、抽出された復元紙紋様特徴量ＭＰ１´と指定領域ＡＲ１における紋様画像から抽出された紙紋様特徴量（以下、これを比較用紙紋様特徴量と呼ぶ）ＭＰ２とを照合することによってコード付印画紙ＸＰｃ１の原本性（オリジナル紙ＯＰ１の有無）を識別するようになされている。
【００１７】
また、識別装置１は、かかる復元合成情報ＭＸ１´から復元印画内容証明情報ＳＰ２´を抽出し、例えば当該復元印画内容証明情報ＳＰ２´を表示部等に表示し、当該復元印画内容証明情報ＳＰ２´と印画内容ＳＰ１とをユーザに直接目視比較させることによって、コード付印画紙ＸＰｃ１の印画内容ＳＰ１の変造の有無を識別させるようになされている。
【００１８】
このため図３に示すように、例えばコピー機などの複製装置によってコード付印画紙ＸＰｃ１から、コード付印画紙ＸＰｃ２が複製された場合であっても、当該コード付印画紙ＸＰｃ２にはオリジナル紙ＯＰ１の指定領域ＡＲ１に存在する同一の紋様パターンは存在し得ないため、比較用紙紋様特徴量ＭＰ２と復元紙紋様特徴量ＭＰ１´との照合結果が一致することはなく、複製コード付印画紙ＸＰｃ２が複製であって原本ではないことを検出することができる。
【００１９】
また図４に示すように、例えばコード付印画紙ＸＰｃ１における認証用コードＢＣ１及び指定領域ＡＲ１が切り取られ、他の印画紙に貼り合わせられることによって変造コード付印画紙ＸＰｃ３が作製された場合であっても、認証用コードＢＣ１から復元された復元印画内容証明情報ＳＰ２´とコード付印画紙ＸＰｃ３の印画内容ＳＰ１とが一致することはないため、変造コード付印画紙ＸＰｃ３の印画内容ＳＰ１が変造されたものであることを検出することができる。
【００２０】
このように識別手法によって、コード付印画紙ＸＰｃ１がオリジナル紙ＯＰから正当に作成された否かを検証すると共に、印画紙の印画内容ＳＰ１が正当であるか否かを検証できるため、即座に上述した商品交換媒体や内容証明媒体等の高付加価値媒体として使用される当該印画紙の不正複製や変造を発見することが可能となる。
【００２１】
（２）識別装置の構成
図５において、１は本実施の形態による識別装置を示し、この識別装置１全体の制御を司る制御部２に対してバス３を介してスキャナ部４、プリンタ部５及びＬＣＤ（Liquid Crystal Display）等からなる表示部６が接続されることにより構成されている。
【００２２】
この制御部２は、ＣＰＵ(Central Processing Unit)構成でなり、ＲＡＭ(Random Access Memory)でなるワークメモリ及びＲＯＭ(Read Only Memory)でなる情報記憶メモリを有している。
【００２３】
この情報記憶メモリには、紙の各種規格サイズそれぞれに対する指定領域ＡＲ１（図２）の位置情報（以下、これを領域位置情報と呼ぶ）、２次元バーコード用の文字列情報（以下、これをコード文字列情報と呼ぶ）等の各種情報及びプログラムが記憶されている。従って制御部２は、ワークメモリにロードしたプログラムに従って、情報記憶メモリに記憶された各種情報を適宜用いて各種処理を実行するようになされている。
【００２４】
実際上、制御部２（図５）は、印画内容ＳＰ１及び認証用コードＢＣ１からなる印画情報を印画させる旨の指令が操作部（図示せず）から与えられた場合、第１のモード（以下、これを印画モードと呼ぶ）に遷移し、紋様画像読取コマンドをスキャナ部４に送出する。
【００２５】
そして、制御部２は、このコマンドの応答結果として、スキャナ部４からオリジナル印画紙ＯＰ１における紋様画像のデータ（以下、これを紋様画像データと呼ぶ）Ｄ１が与えられる。
【００２６】
図６に示すように、制御部２は、この紋様画像データＤ１から紙紋様特徴量ＭＰ１を抽出すると共に、印画内容ＳＰ１に基づいて印画内容証明情報ＳＰ２を生成する。そして制御部２は、この紙紋様特徴量ＭＰ１と印画内容証明情報ＳＰ２とを合成した合成情報ＭＸ１に基づいて２次元バーコードでなる認証用コードＢＣ１を生成する。さらに制御部２は、この認証用コードＢＣ１と印画内容ＳＰ１とを合成して印画情報を生成し、プリンタ部５へ送出する。
【００２７】
この印画情報は、プリンタ部５において、印画内容ＳＰ１及び認証用コードＢＣ１としてオリジナル紙ＯＰ１に記憶される。この結果、制御部２は認証用コードＢＣ１を通して当該紙紋様特徴量ＭＰ１及び印画内容ＳＰ１をリンク付けした状態でオリジナル紙ＯＰ１の紙面上に記憶させる。
【００２８】
また制御部２は、所定の識別指令が操作部から与えられた場合、第２のモード（以下、このモードを識別モードと呼ぶ）に遷移し、紋様画像読取コマンド及びコード読取コマンドをスキャナ部４に送出する。
【００２９】
制御部２は、これらコマンドの応答結果として、スキャナ部４からコード付印画紙ＸＰｃ１における紋様画像のデータ（以下、これをコード付紋様画像データと呼ぶ）Ｄ２と、当該コード付印画紙ＸＰｃ１に印画された認証用コードＢＣ１の読取結果であるコード画像データＤ３とが与えられる。
【００３０】
図７に示すように、制御部２は、指定領域ＡＲ１におけるコード付紋様画像データＤ２から比較用紙紋様特徴量ＭＰ２を抽出すると共に、認証用コードＢＣ１におけるコード画像データＤ３から復元するようにして復元紙紋様特徴量ＭＰ１´及び復元印画内容証明情報ＳＰ２´を得る。
【００３１】
そして図８に示すように制御部２は、その復元紙紋様特徴量ＭＰ１´と比較用紙紋様特徴量ＭＰ２とを比較照合する。従って制御部２は、比較照合の結果、各々の特徴量が所定の閾値を超えて一致するか否かを判定し、両者が一致すると認識できた場合には、コード付印画紙ＸＰｃ１が正当に作成されたオリジナル紙ＯＰ１そのものであること、すなわち原本であることを立証し、一方で両者が一致しない場合には、コード付印画紙ＸＰｃ１の原本性を否定するようになされている。
【００３２】
さらに制御部２は、復元印画内容証明情報ＳＰ２´を表示部６に表示させることによって、ユーザにコード付印画紙ＸＰｃ１に印画された印画内容ＳＰ１と復元印画内容証明情報ＳＰ２´とを比較させ得、ユーザによって両者の一致が認識され得た場合には、コード付印画紙ＸＰｃ１の印画内容ＳＰ１が改ざんされていないこと、すなわち正当であることを立証し、一方で両者が一致しない場合には、コード付印画紙ＸＰｃ１における印画内容ＳＰ１の正当性を否定するようになされている。
【００３３】
このようにして制御部２は、コード付印画紙ＸＰｃ１の原本性と印画内容ＳＰ１の正当性を検証し得るため、コード付印画紙ＸＰｃ１の不正複製や変造を検出でき、かくしてコード付印画紙ＸＰｃ１の不正複製や変造を防止し得るようになされている。
【００３４】
一方、スキャナ部４（図５）は、紋様読取モード、コード読取モードを有し、制御部２から紋様画像読取コマンドが与えられた場合には紋様読取コード、制御部２からコード読取コマンドが与えられた場合にはコード読取モードをそれぞれ実行するようになされている。
【００３５】
実際上、スキャナ部４（図５）は、紋様読取モード時には例えば載置台に載置されたオリジナル印画紙ＯＰ１又はコード付印画紙ＸＰｃ１に対して光を照射し、これらを透過する事により得られる紋様投影光を、光学系を介して固体撮像素子に結像する。そしてスキャナ部４は、この固体撮像素子から得られる紋様画像信号に対してＡ／Ｄ（Analog/Digital）変換処理等を施し、この結果得られた紋様画像データＤ１又はコード付紋様画像データＤ２を制御部２へ送出する。
【００３６】
同様にスキャナ部４は、コード読取モード時には、例えば載置台に載置されたコード付印画紙ＸＰｃ１に対して光を照射し、これを反射することにより得られるコード反射光を光学系を介して固体撮像素子に結像する。そしてスキャナ部４は、この固体撮像素子から得られるコード画像信号に対してＡ／Ｄ変換処理等を施し、この結果得られたコード画像データＤ３を制御部２へ送出する。
【００３７】
このようにしてスキャナ部４は、制御部２から与えられる各種コマンドに応じたモードを実行することにより、紋様画像、認証用コードＢＣ１（図７）を読み取ることができるようになされている。
【００３８】
一方、プリンタ部５（図５）は、制御部２から印画情報が供給されると、この印画情報に対してパルス幅変調処理等を施し、この結果得られた印画データを印画ヘッド部に送出する。この結果、この印画情報に基づく印画ヘッド部の駆動により、このとき印画紙台にセットされた印画紙（オリジナル紙ＯＰ１）に印画内容ＳＰ１（図６）が印画されると共に、当該印画紙の所定位置に認証用コードＢＣ１が印画される。
【００３９】
他方、表示部６は、制御部２から認証用コードＢＣ１から復元された復元印画内容証明情報ＳＰ２´（図８）が供給されると、当該復元印画内容証明情報ＳＰ２´を表示するようになされている。
【００４０】
（３）印画モードにおける制御部の処理内容
図９に示すように、かかる制御部２における印画モード時の処理内容を機能的に分類すると、印画内容証明情報生成部１０と、紙紋様画像処理部１２と、合成情報生成部１３と、２次元コード変換部１４、印画情報生成部１５とに分けることができる。
【００４１】
（３−１）印画内容証明情報生成処理
印画モードにおいて、印画内容証明情報生成部１０は、外部から入力された、あるいは図示しない情報記憶メモリから読み出した、写真や文字又はそれらの組み合わされた画像データに基づいて、例えばコンサートの入場券画像を印画内容ＳＰ１として生成する。そして印画内容証明情報生成部１０は、当該印画内容ＳＰ１に基づいて印画内容証明情報ＳＰ２を生成する。例えば、当該印画内容ＳＰ１がコンサート入場券情報である場合には、コンサートの名称、日時、指定座席等のコンサート及び入場条件等を特定する情報を生成する。そして印画内容証明情報生成部１１は、この印画内容証明情報ＳＰ２を合成情報生成部１３へ送出する。
【００４２】
これにより印画内容証明情報生成部１０は、印画内容ＳＰ１から印画内容を証明する情報のみを抽出し得るため、印画内容証明情報ＳＰ２としてのデータ量を小さくし得るようになされている。
【００４３】
（３−２）紙紋様特徴量抽出処理
スキャナ部４（図５）から紋様画像データＤ１が供給された場合、紙紋様画像処理部１２（図９）は、当該紋様画像データＤ１から紙紋様特徴量ＭＰ１を抽出するようになされている。ここで、紙紋様画像処理部１２における紙紋様特徴量抽出処理の内容を機能的に分類すると、図７に示すように、低周波数成分抽出部２１と、画像分離部２２と、領域区割部２３と、紙紋様特徴量抽出部２４とに分けることができる。
【００４４】
実際上、制御部２は、スキャナ部４から供給される紋様画像データＤ１を、低周波数成分抽出部２１に入力する。
【００４５】
かかる紋様画像データＤ１が入力されると、低周波数成分抽出部２１は、図１０に示すように、当該紋様画像データＤ１から指定領域ＡＲ１における領域紋様画像ＩＭ１（図１０（Ａ））を取得し、この領域紋様画像ＩＭ１から低域成分紋様画像ＩＭ２（図１０（Ｂ））を抽出し、当該低域成分紋様画像ＩＭ２を画像分離部２２（図９）へ送出する。
【００４６】
これにより低周波数成分抽出部２１は、一般に画像の高周波成分に含まれる各種ノイズ成分を除去し、紙紋様特徴量の抽出精度の低下を防止し、ひいては照合部３３における照合結果の信頼性を向上させ得るようになされている。
【００４７】
画像分離部２２は、図１１（Ａ）、（Ｂ）及び（Ｃ）に示すように、低域周波数成分抽出部１１で抽出された低域成分紋様画像ＩＭ２（図１１（Ａ））を、白成分紋様画像ＷＩＭ（図１１（Ｂ））と黒成分紋様画像ＢＩＭ（図１１（Ｃ））とに分離する。
【００４８】
具体的に画像分離部２２は、かかる低域成分紋様画像ＩＭ２の輝度値を画素ごとに順次検出し、高輝度閾値以上となる輝度値を有する白成分紋様画像ＷＩＭを抽出し、この白成分紋様画像ＷＩＭを領域区割部２３へ送出する。
【００４９】
また画像分離部２２は、低域成分紋様画像ＩＭ２における各画素の検出結果が低輝度閾値以下となる輝度値を有する黒成分紋様画像ＢＩＭを抽出し、この黒成分紋様画像ＢＩＭを領域区割部２３へ送出する。
【００５０】
このように画像分離部２２は、低域成分紋様画像ＩＭ２を白成分紋様画像ＷＩＭと黒成分紋様画像ＢＩＭとに分離して、紋様パターンの複雑さを低減し得るようになされている。この結果、画像分離部２２は、紋様パターンの複雑さの程度が大きいことに起因する紙紋様特徴量抽出部２４における紙紋様特徴量の抽出精度の低下を防止し得るようになされている。
【００５１】
領域区画部２３は、図１２に示すように、白成分紋様画像ＷＩＭ（図１１（Ｂ））が有する紋様を、隣接する白画素の集合を単位とする領域（以下、これを白ダマと呼ぶ）に区割りするとともに、黒成分紋様画像ＢＩＭ（図１１（Ｃ））が有する紋様を、隣接する黒画素の集合を単位とする領域（以下、これを黒ダマと呼ぶ）に区割りする。
【００５２】
具体的に領域区割部２３は、画像分離部２２から供給される白成分紋様画像ＷＩＭから全ての白画素を検出した後、図１２（Ｂ）に示すように、任意の注目画素ＡＰと隣接する上下左右方向の４画素及び斜め方向の４画素の計８画素（以下、これを８近傍画素と呼ぶ）の白画素を順次連結していく。
【００５３】
そして領域区割部２３は、画像分離部１２から供給される黒成分紋様画像ＢＩＭについても白成分紋様画像ＷＩＭと同様にして複数の黒ダマＢＤ１〜ＢＤｎを形成するようになされている。
【００５４】
このようにして領域区割部２３は、白成分紋様画像ＷＩＭが有する紋様を複数の白ダマＷＤ（ＷＤ１〜ＷＤｎ）に区割すると共に、黒成分紋様画像ＢＩＭが有する紋様を複数の黒ダマＢＤ（ＢＤ１〜ＢＤｎ）に区割することにより、当該紋様を細分化し得るようになされている。
【００５５】
この結果、領域区割部２３は白成分紋様画像ＷＩＭ及び黒成分紋様画像ＢＩＭが有する紋様を細かく分析可能になるため、紙紋様特徴量抽出部２４での紙紋様特徴量の抽出精度を向上させ得るようになされている。
【００５６】
さらに領域区割部２３は、区割された白成分紋様画像ＷＩＭ（図１３（Ａ））から所定の連結数以下となるダマを除去する（図１３（Ｂ））ようになされており、当該除去した結果得られた残りの白ダマデータＷＤを紙紋様特徴量抽出部２４へ送出する。
【００５７】
同様に領域区割部２３（図９）は黒成分紋様画像ＢＩＭから所定の連結数以下となるダマを除去して、当該除去した結果得られた残りの黒ダマデータＢＤを紙紋様特徴量抽出部２４へ送出する。
【００５８】
これにより領域区割部２３は、白成分紋様画像ＷＩＭ及び黒成分紋様画像ＢＩＭが有する紋様の特徴部分のみを白ダマデータＷＤ及び黒ダマデータＢＤとして抽出することができるため、紙紋様特徴量抽出部２４における紙紋様特徴量の抽出精度を一段と向上させ得るようになされている。
【００５９】
紙紋様特徴量抽出部２４は、白ダマデータＷＤ及び黒ダマデータＢＤにおける形状の特徴量を算出するようにして紙紋様特徴量を抽出するようになされている。この場合、紙紋様特徴量抽出部２４では、白ダマデータＷＤ及び黒ダマデータＢＤにおける各形状の特徴量をそのまま算出する際、その形状が複雑であって困難なことから、当該白ダマデータＷＤ及び黒ダマデータＢＤの形状をそれぞれ矩形近似させ、その結果得られる矩形情報値を紙紋様特徴量ＭＰ１として抽出するようになされている。そして紙紋様特徴量抽出部２４は、この紙紋様特徴量ＭＰ１を合成情報生成部１３へ送出する。
【００６０】
（３−３）合成情報生成処理
合成情報生成部１３は、上述した印画内容証明情報ＳＰ２と、紙紋様特徴量ＭＰ１とが供給された場合、例えば当該印画内容証明情報ＳＰ２の先頭に当該紙紋様特徴量ＭＰ２を付加する事によって合成した合成情報ＭＸ１を生成し、この合成情報ＭＸ１を２次元コード変換部１４へ送出する。
【００６１】
（３−４）印画情報生成処理
２次元コード変換部１４は、かかる合成情報ＭＸ１が供給された場合、当該合成情報ＭＸ１に基づいて所定の２次元バーコードでなる認証用コードＢＣ１を生成し、これを印画情報生成部１５へ送出する。
【００６２】
印画情報生成部１５は、かかる認証用コードＢＣ１が供給されると、認証用コードＢＣ１がオリジナル紙ＯＰ１の所定位置に配置されるように、認証用コードＢＣ１及び印画内容ＳＰ１とを合成した印画情報ＰＩを生成し、この印画情報ＰＩをプリンタ部５へ送出する。
【００６３】
この結果、制御部２（図５）は、プリンタ部５によって認証用コードＢＣ１を通して当該紙紋様特徴量ＭＰ１及び印画内容ＳＰ１をリンク付けした状態でオリジナル紙ＯＰ１の紙面上に記憶する。
【００６４】
このようにして識別装置１では、印画内容証明情報ＳＰ２（図６）と紙紋様特徴量ＭＰ１とが合成された合成情報ＭＸ１に基づいた認証用コードＢＣ１、及び印画内容ＳＰ１をオリジナル紙ＯＰ１に印画するようになされている。
【００６５】
（４）照合モードにおける制御部の処理内容
ここで、この照合モードにおける制御部２の処理内容を機能的に分類すると、図９との対応部分に同一符号を附した図１４に示すように、紙紋様画像処理部１２と、二次元コード復元部３１と、情報分離部３２と、照合部３３とに分けることができる。ここで紙紋様画像処理部１２の処理内容については、既に説明した通りであるため、ここでは説明の便宜上省略する。
【００６６】
制御部２（図５）は、スキャナ部４からコード付紋様画像データＤ２及びコード画像データＤ３が供給された場合、当該コード付紋様画像データＤ２を紙紋様画像処理部１２（図１４）へ入力し、当該紙紋様画像処理部１２によって当該コード付紋様画像データＤ２から比較用紙紋様特徴量ＭＰ２を抽出し、照合部３３へ送出する。一方で、制御部２は、当該コード画像データＤ３を２次元コード復元部３１へ入力するようになされている。
【００６７】
（４−１）認証用コード復元処理
２次元コード復元部３１は、かかるコード画像データＤ３が入力された場合、所定のコード文字列情報に基づいて２次元バーコード変換処理を施すことによって、認証用コードＢＣ１を復元するようにして生成した復元合成情報ＭＸ１´を生成し、当該復元合成情報ＭＸ１´を情報分離部３２へ送出する。
【００６８】
情報分離部３２は、かかる復元合成情報ＭＸ１´が供給されると、当該復元合成情報ＭＸ１´に基づいてオリジナル紙ＯＰ１における指定領域ＡＲ１の紙紋様特徴量を示す復元紙紋様特徴量ＭＰ１´と、オリジナル紙ＯＰ１に併せて印画された印画内容ＳＰ１を表す復元印画内容証明情報ＳＰ２´とを生成する。そして情報分離部３２は、当該復元紙紋様特徴量ＭＰ１´を照合部３３へ送出する。また、情報分離部３２は、復元印画内容証明情報ＳＰ２´を表示部６へ送出し、この結果ユーザに対して表示部６に表示させた当該復元印画内容証明情報ＳＰ２´と、コード付印画紙ＸＰｃ１における印画内容ＳＰ１とを目視比較させるようになされている。
【００６９】
（４−２）照合処理
照合部３３は、情報分離部３２から供給される復元紙紋様特徴量ＭＰ１´と、紙紋様画像処理部１２から供給される比較用紙紋様特徴量ＭＰ２とを照合することにより、コード付印画紙ＸＰｃ１が原本であるか否かを検証するようになされている。
【００７０】
このようにして、制御部２は、コード付印画紙ＸＰｃ１の原本性及び印画内容ＳＰ１の正当性を識別し得るようになされている。
【００７１】
（５）使用例
次に、上述の識別装置１を適用した実施形態について説明する。
【００７２】
（５−１）オンラインチケットシステム
図１５において、５０は全体としてオンラインチケットシステムを示し、ウェブ管理サーバ５２と、インターネット５３と、パーソナルコンピュータ（以下、これをＰＣと呼ぶ）５４と、照合装置５６とから構成されている。
【００７３】
ウェブ管理サーバ５２及びＰＣ５４はインターネット５３を介して接続されている。ユーザはＰＣ５４によって当該ウェブ管理サーバ５２が管理するウェブサイトに接続し、チケットを申し込むようになされている。そしてユーザは、ＰＣ５４によってウェブ管理サーバ５２から供給されたチケット画像である印画情報ＰＩを自宅にある紙に印画することによって、認証用コードＢＣ１が印画されたチケット（以下、これをコード付チケットＣＴと呼ぶ）の発行を自宅から行い得るようになされている。
【００７４】
一方、上述したコード付チケットＣＴと交換に入場を許可するイベント会場では、照合装置５６Ａ〜５６Ｃがそれぞれ設置されており、これらの照合装置５６によって当該コード付チケットＣＴの原本性及びチケット内容の正当性を検証し得るようになされている。
【００７５】
（５−１−１）コード付チケットの発行
図１６に示すように、ウェブ管理サーバ５２は、制御部５２Ａと通信インターフェース５２Ｂとによって構成され、通信インターフェース５２Ｂを介してインターネット５３に接続されている。一方、ＰＣ５４は、このＰＣ５４全体の制御を司る制御部５４Ｄに対してバス５４Ｆを介してスキャナ部５４Ａと、表示部５４Ｂと、プリンタ部５４Ｃと、通信インターフェース５４Ｅとが接続されることによって構成されている。そしてＰＣ５４は、通信インターフェース５４Ｅを介してインターネット５３に接続されている。かくして、ウェブ管理サーバ５２及びＰＣ５４はインターネット５３を介して相互に接続し得るようになされている。
【００７６】
ウェブ管理サーバ５２の制御部５２Ａ、ＰＣ５４のスキャナ部５４Ａ、プリンタ部５４Ｃは、上述した識別装置１（図５）における制御部２、スキャナ部４、プリンタ部５にそれぞれ対応し、上述した各種処理を行うようになされている。また、コード付チケットＣＴはコード付印画紙ＸＰｃ１に、チケット内容ＴＮ１は印画内容ＳＰ１に、チケット内容証明情報ＴＮ２は印画内容証明情報ＳＰ２に、復元チケット内容証明情報ＴＮ２´は復元印画内容証明情報ＳＰ２´にそれぞれ対応する。
【００７７】
実際上、ウェブ管理サーバ５２の制御部５２Ａ（図１６）は、ユーザの操作によってＰＣ５４からチケットを申し込む旨のチケット申込コマンドが供給されると、処理を開始する。そして制御部５２Ａは、ＰＣ５４に対してオリジナル紙ＯＰ１に基づく紋様画像データＤ１を取得する旨の紋様画像取得要求を行う。
【００７８】
この結果、制御部５２Ａは、この紋様画像取得要求に基づく表示画面をＰＣ５４の表示部５４Ｂに表示させるようになされている。そして制御部５２Ａは、当該表示画面に応じたユーザのＰＣ５４に対する操作により、スキャナ部５４Ａによってオリジナル紙ＯＰ１の指定領域ＡＲ１における紋様画像データＤ１（図６）を取得させ、インターネット５３を介して制御部５２Ａに供給させるようになされている。
【００７９】
そして制御部５２Ａ（図１６）では、ＰＣ５４から紋様画像データＤ１が供給されると、紙紋様特徴量抽出処理（３−２）によって紙紋様特徴量ＭＰ１を抽出する。一方制御部５２Ａは、図１７に示すように、例えば予めメモリに記憶されているサッカーの試合等のイベント名や、開催時間、座席番号等のイベントに関する文字情報や画像情報から、証明対象の内容としてチケット申込内容に基づいてチケット内容ＴＮ１を生成する。さらに制御部５２Ａは、当該チケット内容ＴＮ１に基づいて、印画内容証明情報生成処理（３−１）によってチケットの内容を特定する情報を抽出し、チケット内容証明情報ＴＮ２を生成する。
【００８０】
制御部５２Ａ（図１６）は、かかる紙紋様特徴量ＭＰ１及びチケット内容証明情報ＴＮ２から、合成情報生成処理（３−３）、印画情報生成処理（３−４）によって印画情報ＰＩを生成する。同時に制御部５２Ａは、当該チケット申込内容に基づいて課金要求を生成し、インターネット５３を介してＰＣ５４へ送出する。
【００８１】
この結果、制御部５２Ａは、かかる課金要求に応じたＰＣ５４からの指令により、インターネット５３を介して決済機関（図示せず）に接続し、所定の決済処理を行うようになされている。この決済処理が終了すると、制御部５２Ａは、先ほど生成した印画情報ＰＩをＰＣ５４へ送出する。 
【００８２】
ＰＣ５４は、かかる印画情報ＰＩが供給されると、プリンタ部５４Ｃによって当該印画情報ＰＩをオリジナル紙ＯＰ１に印画する。
【００８３】
ここで、オンラインチケットシステム５０では、ＰＣ５４にかかる印画情報ＰＩを印画させることにより、チケット内容ＴＮ１と認証用コードＢＣ１を同時に印画させることができるため、２度に渡って印画処理を行う場合と比較して、紙詰まりや等の印画処理に関するトラブルが生じる可能性を減少させ得ると共に、印画処理に要する時間を短縮させることができるようになされている。
【００８４】
この結果ＰＣ５４は、プリンタ部５４Ｃによってチケット内容ＴＮ１をオリジナル紙ＯＰ１に印画すると共に、認証用コードＢＣ１をオリジナル紙ＯＰ１における紙面の一部として指定領域ＡＲ１の近傍（図６）に印画することにより、認証用コードＢＣ１を通して当該紙紋様特徴量ＭＰ１及びチケット内容ＴＮ１をリンク付けした状態でオリジナル紙ＯＰ１の紙面上に記憶させ、コード付チケットＣＴを発行し得るようになされている。
【００８５】
そしてＰＣ５４（図１６）は、ユーザの操作に応じて印画処理を終了した旨の印画処理終了通知をウェブ管理サーバ５２へ送出する。
【００８６】
かかる構成に加えて、オンラインチケットシステム５０では、コード付チケットＣＴが正常に発行されたことを確認するための確認処理を行うようになされている。
【００８７】
ウェブ管理サーバ５２の制御部５２Ａは、上述した印画処理終了通知が供給されると、ＰＣ５４に対してコード付チケットＣＴのコード付紋様画像データＤ２を取得する旨の印画紙画像取得要求画像を送出する。この結果、制御部５２Ａは、この印画紙画像取得要求画像をＰＣ５４の表示部５４Ｂに表示させるようになされている。そして制御部５２Ａは、当該紋様画像取得要求画像に基づくユーザのＰＣ５４に対する操作により、スキャナ部５４Ａによってコード付チケットＣＴのコード付紋様画像データＤ２を取得させ、インターネット５３を介して制御部５２Ａに供給させるようになされている。
【００８８】
そして制御部５２Ａは、かかるコード付紋様画像データＤ２が供給されると、当該コード付紋様画像データＤ２から比較用紙紋様特徴量ＭＰ２を抽出すると共に、認証用コードＢＣ１から復元するようにして復元紙紋様特徴量ＭＰ１´及び復元チケット内容証明情報ＴＮ２´を得る。そして制御部５２Ａは、当該復元紙紋様特徴量ＭＰ１´と情報メモリから読み出された紙紋様特徴量ＭＰ１とを比較照合する。
【００８９】
従って制御部５２Ａは、比較照合の結果、各々の特徴量が所定の閾値を超えて一致するか否かを判定し、両者が一致すると認識できた場合、このことは認証用コードＢＣ１がオリジナル紙ＯＰ１に正常に印画されていることを意味しており、コード付チケットＣＴの発行が終了した旨のチケット発行終了通知をＰＣ５４に送出し、コード付チケットＣＴの発行を完了する。
【００９０】
一方で制御部５２Ａは、比較照合の結果、各々の特徴量が一致しないと認識できた場合、このことは認証用コードＢＣ１がオリジナル紙ＯＰ１に正常に印画されていないことを意味しているため、再度別のオリジナル紙ＯＰ２の紋様画像データＤ１を取得する旨の通知をＰＣ５４に送出し、コード付チケットＣＴの発行に係る処理を再度行うようになされている。
【００９１】
これにより、制御部５２Ａは、例えば認証用コードＢＣ１がオリジナル紙ＯＰ１以外の紙に印画された場合や、印画ミス等によるトラブルによって正常に印画されなかった場合であっても、新しいオリジナル紙ＯＰ２を用いてコード付チケットＣＴの発行を再度行うことができ、確実にチケットの発行を行うことが可能となる。
【００９２】
このようにして、オンラインチケットシステム５０では、ＰＣ５４のスキャナ部５４Ａによってオリジナル紙ＯＰ１から紋様画像データＤ１を取得し、ウェブ管理サーバ５２の制御部５２Ａによって生成した当該紋様画像データＤ１とチケット内容ＴＮ１とから生成した印画情報ＰＩをＰＣ５４Ｃのスキャナ部５４Ｃによって当該オリジナル紙ＯＰ１に印画するようにしたため、ＰＣ５４によってチケットの発行をし得、インターネット等のオンライン上でコード付チケットＣＴの発行をすることができる。
【００９３】
このときＰＣ５４は、オリジナル紙ＯＰ１から紋様画像データＤ１を取得し、ウェブ管理サーバ５２によって生成された印画情報ＰＩを印画するだけの処理でチケット発行を行うことができるため、特別なソフトを必要とせず、簡易な構成でコード付チケットＣＴの発行を実行し得るようになされている。
【００９４】
（５−１−２）チケットの識別
図１６に示したように、照合装置５６は、制御部５６Ａと、スキャナ部５６Ｂと、表示部５６Ｃとによって構成され、制御部５６Ａの制御によって各部を制御することによって各種処理を実行し得るようになされている。
【００９５】
照合装置５６の制御部５６Ａ、スキャナ部５６Ｂと、表示部５６Ｃは、各々識別装置１（図５）における制御部２、スキャナ部４、表示部６に対応し、上述した処理を行うようになされている。
【００９６】
実際上、照合装置５６の制御部５６Ａは、コード付チケットＣＴの原本性と印画内容の正当性を識別する旨の命令が操作部（図示せず）を介して与えられると処理を開始する。
【００９７】
制御部５６Ａは、スキャナ部５６Ａによって取得したコード付チケットＣＴ（図１７）の認証用コードＢＣ１におけるコード画像データＤ３から上述した認証用コード復元処理（４−１）によって復元紙紋様特徴量ＭＰ１´及び復元チケット内容証明情報ＴＮ２´を得ると共に、指定領域ＡＲ１におけるコード付紋様画像データＤ２から、上述した紙紋様特徴量抽出処理（３−２）によって比較用紙紋様特徴量ＭＰ２を得る。
【００９８】
そして制御部５６Ａ（図１６）は、その復元紙紋様特徴量ＭＰ１´と比較用紙紋様特徴量ＭＰ２との照合処理（４−２）をすると共に、復元チケット内容証明情報ＴＮ２´を表示部５６Ｃに表示させ、ユーザにチケット内容ＴＮ１と復元チケット内容証明情報ＴＮ２´とをユーザに直製目視比較させることによってコード付チケットＣＴの原本性及びチケット内容ＴＮ１の正当性を検証し得、かくしてコード付チケットＣＴの正当性を識別し得るようになされている。
【００９９】
このとき照合装置５６Ａでは、コード付チケットＣＴの指定領域ＡＲ１における紙紋様と認証用コードＢＣ１とによって上述した照合処理をし得、管理サーバに接続する必要がないため、チケットを識別するための識別情報と管理サーバにおいて管理される管理情報とを照合する従来の方法と比較して、簡易な構成にすることができると共に、通信に要する時間を必要としないため照合にかかる処理時間を短縮することができる。
【０１００】
オンラインチケットシステム５０では、ＰＣ５４によって印画されたコード付チケットＣＴの原本性及びチケット内容ＴＮ１の正当性を照合装置５６Ａによって速やかに識別し得るため、不正複製や変造されたチケットが使用されるのを防止でき、かくしてチケットの不正複製や変造を防止することができる。
【０１０１】
この結果、オンラインチケットシステム５０では、識別手法によってチケットの不正複製や変造を防止できることにより、チケット内容ＴＮ１やオリジナル紙ＯＰ１に特別な変造防止対策を施す必要がないため、チケット発行のために特別な装置や紙を必要とせず、通常の紙であるオリジナル紙ＯＰ１と、パーソナルコンピュータ等の汎用電子通信機器とを利用でき、オンラインによって不特定多数のユーザに対してコード付チケットＣＴの発行をすることができる。
【０１０２】
また、オンラインチケットシステム５０では、固体物である紙が有する紙紋様と認証用コードＢＣ１として記憶されたデータとの組み合わせることによって初めてコード付チケットＣＴが正当であると識別され得るため、例えばハッキング等により紋様画像データＤ１や印画情報ＰＩ等の電子情報が漏洩した場合であっても、当該電子情報を不正利用されることを防止することができる。
【０１０３】
このようにして、オンラインチケットシステム５０では、オンラインにおいて安全にコード付チケットＣＴの発行及び利用を行い得るようになされている。
【０１０４】
（５−２）本人確認システム
（５−２−１）本人確認システムの構成
図１８において９０は全体として本人確認システムを示し、ＡＴＭ（Automatic teller machine）９１と、管理サーバ９２と、キャッシュカード９４と、本人確認カード９５（図１８では９５Ａ、９５Ｂ）とによって構成される。このＡＴＭ９１は管理サーバ９２とは相互に接続され、情報の授受を行うようになされている。
【０１０５】
本人確認システム９０では、ユーザがＡＴＭ９１を利用する際、本人確認のためのＩＤカードとしてキャッシュカード９４及び本人確認カード９５が必要となる。すなわち、本人確認カード９５は、ユーザがキャッシュカード９４を使用する際に当該ユーザがユーザ本人であることを確認するためのＩＤカードとして使用される。
【０１０６】
ここで本人確認カード９５は、印画内容ＳＰ１として例えばユーザの氏名と前回ＡＴＭ９１を利用した日時が記載されており、紙面右下に指定領域ＡＲ１（ＡＲａ、ＡＲｂ）が設けられ、さらにその近傍に認証用コードＢＣ１（ＢＣａ、ＢＣｂ）が印画されている。そして認証用コードＢＣ１は、上述した指定領域ＡＲ１から抽出された紙紋様特徴量ＭＰ１と、印画内容ＳＰ１に基づく印画内容証明情報ＳＰ２とに加えて、本人確認カード９５が発行された時刻に基づく時刻情報（以下、これを発行時刻情報と呼ぶ）とが記憶されている。
【０１０７】
この本人確認カード９５は、ユーザがＡＴＭ９１を利用する時に、次回のＡＴＭ９１を利用する時のために新規に発行されるようになされている。すなわち、この本人確認カード９５は、ユーザがＡＴＭ９１を利用する時に毎回発行されるようになされている。
【０１０８】
図１９に示すように、ＡＴＭ９１は、ＡＴＭ９１全体の制御を司る制御部９１Ｄと、バス９１Ｅを介して接続されたスキャナ部９１Ａと、表示部９１Ｂと、プリンタ部９１Ｃ及び通信インターフェース部９１Ｅとによって構成される。この制御部９１Ｄと、スキャナ部９１Ａと、プリンタ部９１Ｃとはそれぞれ識別装置１の制御部２、スキャナ部４、プリンタ部５に対応し、各種処理を実行するようになされている。
【０１０９】
また、本人確認カード９５は認証用コードＢＣ１が印画されたコード付印画紙ＸＰｃ１に対応する。
【０１１０】
一方管理サーバ９２は、管理顧客情報を管理すると共に、本人確認カード９５Ａに記憶される発行時刻情報及び印画内容証明情報ＳＰ２を管理顧客情報と対応付けて記憶しており、情報供給コマンドの供給に応じて当該管理顧客情報に基づく印画内容証明情報ＳＰ２を生成すると共に発行時刻情報を生成し、ＡＴＭ９１へ送出するようになされている。
【０１１１】
（５−２−２）本人確認システムの処理内容
次に、かかる本人確認システムの処理内容について説明する。
【０１１２】
ＡＴＭ９１の制御部９１Ｄは、キャッシュカード９４が認証されると、識別モードに遷移し、表示部９１Ｂに表示することによってユーザに対して本人確認カード９５の供給を要求する。この要求の結果として本人確認カード９５Ａが供給されると、制御部９１Ｄはスキャナ部９１Ａによって当該本人確認カード９５Ａからコード付紋様画像データＤ２及びコード画像データＤ３を取得する。
【０１１３】
制御部９１Ｄは、このコード画像データＤ３から上述した認証用コード復元処理（４−１）によって復元紙紋様特徴量ＭＰ１´と、復元印画内容証明情報ＳＰ２´と、復元発行時刻情報とを復元するようにして取得すると共に、コード付紋様画像データＤ２から紙紋様特徴量抽出処理（３−２）によって比較用紙紋様特徴量ＭＰ２を取得する。そして制御部９１Ｄは、この復元紙紋様特徴量ＭＰ１´と比較用紙紋様特徴量ＭＰ２とを照合処理（４−２）によって照合することによって原本性を検証する。
【０１１４】
さらに制御部９１Ｄは、印画内容証明情報ＳＰ２及び発行時刻情報を供給する旨の命令である特定情報供給コマンドを生成し、管理サーバ９２へ送出する。
【０１１５】
そして管理サーバ９２の制御部９２Ａは、通信インターフェース９２Ｂを介してＡＴＭ９１から特定情報供給コマンドが供給されると、当該管理顧客情報に基づいて最新の発行時刻情報及び印画内容証明情報ＳＰ２を特定し、当該発行時刻情報及び当該印画内容証明情報ＳＰ２とをＡＴＭ９１へ送出する。
【０１１６】
ＡＴＭ９１の制御部９１Ｄは、かかる特定情報供給コマンドの応答結果として発行時刻情報及び印画内容証明情報ＳＰ２とが供給されると、当該印画内容証明情報ＳＰ２と先ほど復元した復元印画内容証明情報ＳＰ２´とを照合する。
【０１１７】
この印画内容証明情報ＳＰ２と復元印画内容証明情報ＳＰ２´とが一致した場合、ＡＴＭ９１は、本人確認カード９５Ａが正規ユーザの本人確認カード９５Ａであり、正当であると判別する。一方で、両者が一致しなかった場合には、この本人確認カード９５Ａは正規ユーザのものではないと判別する。このように、ＡＴＭ９１では、本人確認カード９５Ａの正当性を検証し得るようになされている。
【０１１８】
さらに制御部９１Ｄは、管理サーバ９２から取得した最新の発行時刻情報と、先ほど復元した復元発行時刻情報とを照合する。
【０１１９】
この最新の発行時刻情報と復元発行時刻情報とが一致した場合、制御部９１Ｄは、本人確認カード９５Ａが最新に発行されたものであると判別する。一方で制御部９１Ｄは、両者が一致しなかった場合は、この本人確認カード９５が最新のものでないと判別する。このように、ＡＴＭ９１では、本人確認カード９５Ａが最新のものであるか否かを識別し得るようになされている。
【０１２０】
従って、このＡＴＭ９１では、本人確認カード９５Ａにおける原本性及び正当性を検証できるだけでなく、復元発行時刻情報を管理サーバ９２に照合することによって発行時刻の前後関係を明確にすることができるため、最新に発行された本人確認カード９５Ａのみを使用できるようにすることが可能となる。
【０１２１】
また、最新の本人確認カード９５しか使用できないため、古い本人確認カード９５を悪用することを防止することができる。
【０１２２】
そして、ＡＴＭ９１は、キャッシュカード９４の認証と本人確認カード９５の識別後、サービス提供を行い、このサービス提供が終了すると、サービスの提供を証明する利用明細書等の使用証明書と共に新規に本人確認カード９５Ｂを発行する。
【０１２３】
この場合、ＡＴＭ９１の制御部９１Ｄは、スキャナ部９１Ａによって新しいオリジナル紙ＯＰ２の指定領域ＡＲ２から紋様画像データＤ１を取得すると、上述した紙紋様抽出処理（３−２）によって紙紋様特徴量ＭＰ１を抽出する。そして制御部９１Ｄは、印画内容証明情報ＳＰ２及び発行時刻情報を供給する旨の命令である生成情報供給コマンドを通信インターフェース９１Ｅを介して管理サーバ９２へ送出する。
【０１２４】
一方、管理サーバ９２の制御部９２Ａは、かかる生成情報供給コマンドが供給されると、当該情報供給コマンドを受信した受信時刻を発行時刻情報と認識し、管理顧客情報から印画内容証明情報ＳＰ２を生成し、当該発行時刻情報と当該印画内容証明情報ＳＰ２とを通信インターフェース９２Ｂを介してＡＴＭ９１へ送出すると共に、これらの情報を管理顧客情報に対応付けて記憶する。
【０１２５】
ＡＴＭ９１の制御部９１Ｄは、発行時刻情報と印画内容証明情報ＳＰ２とが供給されると、先ほど抽出した紙紋様特徴量ＭＰ１と、当該発行時刻情報と、当該印画内容証明情報ＳＰ２とから合成情報生成処理（３−３）及び印画情報生成処理（３−４）によって、認証用コードＢＣ１を生成する。そして制御部９１Ｄは、プリンタ部９１Ｃによって当該認証用コードＢＣ１と所定の印画内容ＳＰ１とを印画することによって、本人確認カード９５を発行するようになされている。
【０１２６】
これにより、ＡＴＭ９１では、本人確認カード９５を毎回更新するため、古い本人確認カード９５に基づいて当該本人確認カード９５を変造させることを防止することができるため、ＩＤカードとしての本人確認カード９５のセキュリティを向上させることができる。
【０１２７】
また、ＡＴＭ９１では、本人確認カード９５をＡＴＭ９１の利用時に毎回発行し、１度きりしか使用させないため、紛失した古い本人確認カード９５が繰り返し使用されて悪用されるのを防止し得る。
【０１２８】
さらに、ＡＴＭ９１では、本人確認カード９５をＡＴＭ９１を使用した状態を表す使用証明書と共に印画するため、本人確認カード９５の印画のために特別な設備を必要とせず、簡易な構成にすることができる。
【０１２９】
さらに、ＡＴＭ９１では、ＡＴＭ９１を使用する際に必要となる暗証番号による本人確認の代わりとして本人確認カード９５を使用させるため、ユーザに暗証番号を暗記させる必要がなく、簡便に当該ＡＴＭ９１を利用させることが可能となる。
【０１３０】
また、この本人確認カード９５は、紙が有する固有の紙紋様によって本人確認カード９５の正当性を識別するようになされており、識別処理に本人確認カード９５自体を必要とし、スキミングによって紋様画像を取得したとしても当該紋様画像から紙紋様を作製することが不可能なため、スキミングによる本人確認カード９５の変造を防止することができる。
【０１３１】
さらに、本人確認カード９５は、正当なユーザとしてのＩＤカードであるキャッシュカード９４に対して付随的に使用されることにより、キャッシュカード９４とは異なりスキミングや変造がされ得ないため、キャッシュカード９４の弱点を補うことができ、セキュリティを向上させることができる。
【０１３２】
（６）本実施の形態による動作及び効果
以上の構成において、本発明の識別装置１は、オリジナル紙ＯＰ１から取得した紋様画像データＤ１から抽出した紙紋様特徴量ＭＰ１と、証明対象の内容である印画内容ＳＰ１の内容を表す印画内容証明情報ＳＰ２とを合成し、この結果生成された合成情報ＭＸ１をオリジナル紙ＯＰ１の変造を検出する際の基準となる認証用コードＢＣ１として印画内容ＳＰ１と共にオリジナル紙ＯＰ１に印画する。この結果、印画されたコード付印画紙ＸＰｃ１には、認証用コードＢＣ１を通して当該印画内容ＳＰ１と当該紙紋様特徴量ＭＰ１とがリンク付けされた状態で登録される。
【０１３３】
この場合、識別装置１では、コード付印画紙ＸＰｃ１を識別する処理として、当該コード付印画紙ＸＰｃ１に登録された認証用コードＢＣ１から得られた復元紙紋様特徴量ＭＰ１´と指定領域ＡＲ１から得られた比較用紙紋様特徴量ＭＰ２とを比較照合することによって原本性の検証をし得ると共に、認証用コードＢＣ１から得られた復元印画内容証明情報ＳＰ２´と印画内容ＳＰ１を比較することによって当該印画内容ＳＰ１の正当性を検証し得、かくしてコード付印画紙ＸＰｃ１の原本性及び印画内容ＳＰ１の正当性を識別し得る。
【０１３４】
一方、オンラインチケットシステム５０では、識別装置１はＰＣ５４とウェブ管理サーバ５２とがインターネット５３を介して接続されることによって構成される。従って、このオンラインチケットシステム５０では、ＰＣ５４によって取得したオリジナル紙ＯＰ１の紋様画像データＤ１から、ウェブ管理サーバ５２によって紙紋様特徴量ＭＰ１を抽出し、チケット内容ＳＰ１の内容を表す印画内容証明情報ＳＰ２と当該紙紋様特徴量ＭＰ１を合成し、この結果生成された合成情報ＭＸ１をＰＣ５４によって認証用コードＢＣ１として印画内容ＳＰ１と共にオリジナル紙ＯＰ１に印画する。
【０１３５】
この結果、オンラインチケットシステム５０では、オリジナル紙ＯＰ１として通常の紙を使用でき、ＰＣ５４として紋様画像データＤ１を取得してウェブ管理サーバ５２へ送出すると共に、供給された印画内容ＳＰ１及び認証コードＢＣを印画するだけで良く、汎用のパーソナルコンピュータ等を使用できるため、自宅や職場においてオリジナル紙ＯＰ１に印画内容ＳＰ１と認証用コードＢＣ１とが印画されたコード付チケットＣＴを発行することができる。
【０１３６】
他方、本人確認システム９０では、管理サーバ９２とＡＴＭ９１とが接続されることによって構成され、ＡＴＭ９１によってオリジナル紙ＯＰ１から取得した紋様画像データＤ１から抽出した紙紋様特徴量ＭＰ１と、管理サーバ９２によって生成された印画内容ＳＰ１の内容を表す印画内容証明情報ＳＰ２及び作成時刻を表す発行時刻情報をＡＴＭ９１によって合成し、ＡＴＭ９１によってこの結果生成された合成情報ＭＸ１を認証用コードＢＣ１として印画内容ＳＰ１と共にオリジナル紙ＯＰ１に印画する。従って、この本人確認システム９０では、紙紋様特徴量ＭＰ１と発行時刻情報とをリンク付けした認証用コードＢＣ１を本人確認カード９５に登録すると共に、本人確認カード９５をＡＴＭ９１を介した管理サーバ９２の使用状態を示す使用証明書の一部として、ＡＴＭ９１の利用毎に逐次発行し、最新の当該時刻情報ＴＰを管理サーバ９２によって保持する。
【０１３７】
これにより、本人確認システム９０では、この最新の発行時刻情報と、認証用コードＢＣ１から復元された復元発行時刻情報とを照合することにより、本人確認カード９５が最新のものであるか否かを識別できるため、最新の本人確認カード９５のみを使用できるようにし得、古い本人確認カード９５が悪用されるのを防止できる。また、本人確認カード９５は紙が有する固有の紙紋様によって識別されるため、紛失によって紙紋様自体の情報が漏洩した場合でも、次の本人確認カード９５に影響を及ぼすことがなく、安全に新しい本人確認カード９５を発行することができる。
【０１３８】
また、かかる本人確認カード９５は、キャッシュカード９４のロックを解除して使用可能状態にするための暗証番号として代用されるため、ユーザは暗証番号を記憶する必要がなく、簡便にキャッシュカード９４のロックを解除することができる。本人確認カード９５は、識別に紙紋様自体、すなわち本人確認カード９５自体を必要とするため、スキミングによる変造がされ得ず、かつ有体物であるため、ユーザに本人確認カード９５の盗難や紛失を気付かせ易くできるため、変造、盗難及び紛失によって不正利用される危険性を小さくすることができる。さらに、この本人確認カード９５は、１度きりしか使用できないため、紛失等した本人確認カード９５を不正使用されることを防止できるため、犯罪における被害を最小限にすることができ、キャッシュカード９５のセキュリティを向上させることができる。
【０１３９】
以上の構成によれば、識別装置１では、コード付印画紙ＸＰｃ１の原本性及び印画内容ＳＰ１の正当性を識別することができるため、当該コード付印画紙ＸＰｃ１の印画内容ＳＰ１の不正複製や変造を防止することができる。
【０１４０】
（７）他の実施の形態
なお上述の実施の形態においては、紋様画像から紙紋様特徴量ＭＰ１を抽出し、当該紙紋様特徴量ＭＰ１を用いることによって、コード付印画紙ＸＰｃ１の識別を行うようにした場合について述べたが、本発明はこれに限らず、例えばボロノイ分割等の手法によって紋様パターンを抽出し、当該紋様パターンを用いてコード付印画紙ＸＰｃ１の識別を行うようにしても良い。
【０１４１】
また上述の実施の形態においては、印画内容証明情報ＳＰ２の先頭に紙紋様特徴量ＭＰ２を付加する事によって合成情報ＭＸ１を生成するようにした場合について述べたが、本発明はこれに限らず、電子透かし等、その他種々の手法を用いることができる。
【０１４２】
さらに上述の実施の形態においては、オンラインチケットシステム５０において、サーバ等に接続されていないローカルの照合装置５６によってコード付チケットＣＴを識別するようにした場合について述べたが、本発明はこれに限らず、照合装置５６をサーバに接続するようにし、各コード付チケットＣＴを識別する識別情報を印画内容証明情報ＳＰ２の一部として認証用コードＢＣ１に記憶させるようにし、又は指定領域ＡＲ１を識別情報とし、当該識別情報を当該サーバに記憶させ、識別時に照合することによって、当該コード付チケットが正当に発行されたものであることを識別するようにしても良い。
【０１４３】
これにより、コード付チケットＣＴの原本性及びチケット内容ＴＮ１の正当性に加え、当該コード付チケットＣＴが実際に発行されたか否かを識別でき、一段と確実に当該コード付チケットＣＴの不正複製及び変造を防止することができる。
【０１４４】
さらに上述の実施の形態においては、オンラインチケットシステム５０において、コード付チケットＣＴがイベント会場への入場に使用されるようにした場合について述べたが、本発明はこれに限らず、例えば、乗車券や商品券、パーティへの入場券など、種々のチケット類に適用するようにしても良い。
【０１４５】
さらに上述の実施の形態においては、オンラインチケットシステム５０において、コード付チケットＣＴがイベント会場への入場に使用されるようにした場合について述べたが、本発明はこれに限らず、例えば、ホテルに対してオンラインで宿泊予約を行うことによって自宅においてコード付チケットＣＴを発行し、当該コード付チケットＣＴに印画された認証用コードＢＣ１をホテルの部屋の鍵として使用するようにしても良い。これにより、ホテルにおけるチェックインが不要となり、ユーザは一段と簡便にオンラインチケットシステム５０を利用することができる。
【０１４６】
さらに上述の実施の形態においては、オンラインチケットシステム５０の確認処理において、ＰＣ５４のスキャナ部５４Ａによってコード付紋様画像データＤ２及びコード画像データＤ３を取得するようにした場合について述べたが、本発明はこれに限らず、さらに印画内容ＳＰ１の画像データを取得し、当該印画内容ＳＰ１の画像データと、ウェブ管理サーバ５２の情報記憶メモリにデータとして記憶されている印画内容ＳＰ１とを照合するようにしても良い。
【０１４７】
これにより、オンラインチケットシステム５０では、認証用コードＢＣ１がオリジナル紙ＯＰ１に正常に印画されたことに加えて印画内容ＳＰ１が正常に印画されたことを検証し得るため、より確実にコード付チケットＣＴの発行を実行することができる。
【０１４８】
さらに上述の実施の形態においては、オンラインチケットシステム５０において、オリジナル紙ＯＰ１として、通常の紙を使用するようにした場合について述べたが、本発明はこれに限らず、例えばはがきを使用することによって、コード付チケットＣＴをギフトとして郵便で送付することが可能となる。
【０１４９】
さらに上述の実施の形態においては、オンラインチケットシステム５０において、コード付チケットＣＴの印画内容ＳＰ１としてイベント情報等を印画するようにした場合について述べたが、本発明はこれに限らず、例えば本人のみに分かる暗号等を印画内容ＳＰ１として印画することによって、当該コード付チケットＣＴの内容を他人に知らせないようにすることができ、これにより例えば郵送中等の盗難の危険性を小さくすることができる。
【０１５０】
さらに上述の実施の形態においては、オンラインチケットシステム５０において、ウェブ管理サーバ５２によって課金処理を行うようにした場合について述べたが、本発明はこれに限らず、課金処理を行わないようにしても良い。
【０１５１】
さらに上述の実施の形態においては、本人確認システム９０において、認証用コードＢＣ１から復元された復元印画内容証明情報ＳＰ２´と管理サーバ９２によって保持されたＳＰ２´とを照合するようにした場合について述べたが、本発明はこれに限らず、ＡＴＭ９１によって印画内容ＳＰ１の画像データを取得し、当該画像データに所定の処理を施すことによって復元印画内容証明情報ＳＰ２´と照合するようにしても良い。
【０１５２】
さらに上述の実施の形態においては、本人確認システム９０において、管理サーバ９２によって印画内容証明情報ＳＰ２と、発行時刻情報とを生成するようにした場合について述べたが、本発明はこれに限らず、ＡＴＭ９１によって生成するようにしても良く、同様に管理サーバ９２によって紙紋様特徴量抽出処理、印画情報生成処理、照合処理を行うようにしても良い。
【０１５３】
さらに上述の実施の形態においては、本人確認システム９０において、管理サーバ９２によって印画内容証明情報ＳＰ２と発行時刻情報とを記憶するようにした場合について述べたが、本発明はこれに限らず、ＡＴＭ９１によって記憶するようにしても良い。
【０１５４】
さらに上述の実施の形態においては、本人確認システム９０において、本人確認カード９５をキャッシュカード９４の使用時に併用するようにした場合について述べたが、本発明はこれに限らず、本人確認カード９５は、ポイントカードや、クレジットカードとの併用等によって、様々な場面で本人確認カード９５を使用するようにできる。このとき、本人確認システム９０では、管理サーバ９２において本人確認カード９５の使用状況を一括管理することによって、統一された一つの本人確認カード９５を様々な状況で使用するようにでき、この場合、当該一つの本人確認カード９５の使用回数が多くなるため、当該本人確認カード９５の紛失時等にユーザに気付き易くさせ得る。
【０１５５】
さらに上述の実施の形態においては、本人確認システム９０において、管理サーバ９２によって最新の発行時刻情報を保持するようにした場合について述べたが、本発明はこれに限らず、当該最新の発行時刻情報から所定時間経過するまで本人確認カード９５を使用できないように設定しても良く、これによりユーザが本人確認カード９５を紛失した場合であっても、当該所定時間の間にユーザに紛失を気付かせることができ、本人確認カード９５の不正使用の危険性を小さくすることができる。
【０１５６】
このとき、管理サーバ９２によって発行時刻情報から所定時間経過するまでの間当該本人確認カード９５を使用できないように判断させるようにしても良く、また、ＡＴＭ９１によって判断させるようにしても良い。また、認証用コードＢＣ１に印画内容証明情報ＳＰ２の一部として使用開始可能時刻を含ませるようにし、ＡＴＭ９１又は管理サーバ９２の判断によって当該使用開始可能時刻になるまでは当該本人確認カード９５を使用できないようにしても良い。なお、この所定時間は、ＡＴＮ９１の図示しない操作部を介してユーザにより設定させるようにすることができる。
【０１５７】
同様に、所定時間経過後は本人確認カード９５を使用できないようにしても良い。これにより、長時間経過したために信頼性を失った本人確認カード９５を使用させないようにすることができる。
【０１５８】
さらに上述の実施の形態においては、本人確認システム９０において、本人確認カード９５はキャッシュカード９４のロックを解除して使用状態にするようにした場合について述べたが、本発明はこれに限らず、ＡＴＭ９１のロックを解除して使用状態にするようにしても良い。
【０１５９】
さらに上述の実施の形態においては、本人確認システム９０において、本人確認カード９５はＡＴＭ９１のプリンタ部９１Ｃによって使用証明書と共に発行されるようにした場合について述べたが、本発明はこれに限らず、使用証明書として、若しくは使用証明書の一部として発行されるようにしても良い。
【０１６０】
さらに上述の実施の形態においては、オンラインチケットシステム５０と本人確認システム９０は別のシステムとして述べたが、本人確認カード９５を、コード付チケットＣＴと併用するようにしても良い。これにより、コード付チケットＣＴのセキュリティを一段と向上させることができる。
【０１６１】
さらに上述の実施の形態においては、識別手法をオンラインチケットシステム５０や本人確認システム９０に適用するようにした場合について述べたが、本発明はこれに限らず、例えば領収書等の発行に適用するようにしても良く、これにより領収書等の悪用を防止することができる。
【０１６２】
さらに上述の実施の形態においては、取得手段としてのスキャナ部４、紙紋様画像処理部１２と、作成手段としてのプリンタ部５と、合成手段としての印画内容証明情報生成部１０、合成情報生成部１３と、記憶手段としての２次元コード変換部、印画情報生成部１５、プリンタ部５と、識別処理手段としての２次元コード復元部３１と、情報分離部３２、照合部３３、表示部６及び制御部２とによって識別装置１が構成されるようにした場合について述べたが、本発明はこれに限らず、その他種々の構成でなる取得手段と、作成手段と、記憶手段と、合成手段と、識別処理手段とによって識別装置を構成するようにしても良い。
【産業上の利用可能性】
【０１６３】
本発明の識別装置及び識別方法は、例えばチケット等の商品交換媒体や、身分や資格、経歴等を証明する証明書類の識別に適用することができる。
【図面の簡単な説明】
【０１６４】
【図１】紙の紋様を示す略線図である。
【図２】識別手法の説明に供する略線図である。
【図３】不正複製の検出の説明に供する略線図である。
【図４】変造の検出の説明に供する略線図である。
【図５】識別装置の構成を示す略線図である。
【図６】紙紋様特徴量及び印画内容に応じた認証用コードの登録の説明に供する略線図である。
【図７】紙紋様特徴量及び印画内容証明情報の抽出の説明に供する略線図である。
【図８】照合処理の説明に供する略線図である。
【図９】印画モードにおける処理内容の説明に供する略線図である。
【図１０】低域周波数成分の抽出を示す略線図である。
【図１１】紙紋様パターン画像の分離説明に供する略線図である。
【図１２】白ダマ（黒ダマ）の区割の説明に供する略線図である。
【図１３】小ダマの除去の説明に供する略線図である。
【図１４】識別モードにおける処理内容の説明に供する略線図である。
【図１５】オンラインチケットシステムの説明に供する略線図である。
【図１６】オンラインチケットシステムの構成を示す略線図である。
【図１７】コード付チケットの説明に供する略線図である。
【図１８】本人確認システムの説明に供する略線図である。
【図１９】本人確認システムの構成を示す略線図である。
【符号の説明】
【０１６５】
１……識別装置、２……制御部、３……バス、４……スキャナ部、５……プリンタ部、１０……印画内容証明情報生成部、１２……紙紋様画像処理部、１３……合成情報生成部、１４……２次元コード変換部、１５……印画情報生成部、３１……２次元コード復元部、３２……情報分離部、３３……照合部。
【図２】
2007004479.tif 000003
【図３】
2007004479.tif 000004
【図４】
2007004479.tif 000005
【図５】
2007004479.tif 000006
【図６】
2007004479.tif 000007
【図７】
2007004479.tif 000008
【図８】
2007004479.tif 000009
【図９】
2007004479.tif 000010
【図１１】
2007004479.tif 000011
【図１２】
2007004479.tif 000012
【図１３】
2007004479.tif 000013
【図１４】
2007004479.tif 000014
【図１５】
2007004479.tif 000015
【図１６】
2007004479.tif 000016
【図１７】
2007004479.tif 000017
【図１８】
2007004479.tif 000018
【図１９】
2007004479.tif 000019
【図１】
2007004479.tif 000020
【図１０】
2007004479.tif 000021